(57)【特許請求の範囲】
【請求項１】
教会堂をその敷地内に備えているホテルにおいて、
上記教会堂の出入口に向う専用の屋外通路の幅方向における側縁部分またはその付近にそのほぼ長さ方向に沿って配設されている長手状の軌道機構と、
上記軌道機構にガイドされて上記専用の屋外通路のほぼ長さ方向に沿って移動することができかつビデオカメラが支持されるカメラ移動用可動機構とを備え、
上記カメラ移動用可動機構が、上記軌道機構にガイドされて移動し得る台車と、この台車上に支持されかつビデオカメラが支持されるブームとを備え、
上記ブームが、ほぼ垂直方向にもほぼ水平方向にも移動し得るように構成され、
上記軌道機構よりも上記専用の屋外通路の幅方向における中央寄りの側において上記軌道機構に沿って延びている長手状の遮蔽物としての植込みをさらに備えている教会堂付きホテル。
【請求項２】
上記軌道機構が、上記専用の屋外通路またはこの屋外通路の外側において表面を露出させて埋め込まれている多数の下側枕木を備えている請求項１に記載の教会堂付きホテル。
【請求項３】
結婚式の式場となる教会堂をホテルの敷地内に設け、
上記教会堂の出入口に向う専用の屋外通路の幅方向における側縁部分またはその付近にそのほぼ長さ方向に沿って長手状の軌道機構を配設し、
上記軌道機構にガイドされて移動し得る台車と、ほぼ垂直方向にもほぼ水平方向にも移動し得るようにこの台車上に支持されかつビデオカメラが支持されるブームとを備えているカメラ移動用可動機構を、上記軌道機構にガイドされて上記専用の屋外通路のほぼ長さ方向に沿って移動し得るように配設するとともに、
上記軌道機構よりも上記専用の屋外通路の幅方向における中央寄りの側において上記軌道機構に沿って延びている長手状の遮蔽物としての植込みを配設し、
上記カメラ移動用可動機構を上記軌道機構にガイドさせて上記専用の屋外通路のほぼ長さ方向に沿って移動させながら、上記専用の屋外通路を通る通行人を上記ビデオカメラでビデオ撮影するようにした、ホテルでの結婚式の模様のビデオ撮影方法。
【請求項４】
上記専用の屋外通路またはこの屋外通路の外側において表面を露出させて埋め込まれている多数の下側枕木を、上記軌道機構に備えさせるようにした請求項３に記載のビデオ撮影方法。
【発明の詳細な説明】
【０００１】
【発明の属する技術分野】
本発明は、ビデオ撮影機構を付属させているキリスト教などの教会堂をその敷地内に備えている西洋風などのホテルと、このようなホテルでの結婚式の模様のビデオ撮影方法とに関するものである。
【０００２】
【従来の技術】
ホテル、特に西洋風のホテルにおいては、キリスト教会などでの結婚式が挙げられるようにするために、キリスト教などの教会堂（本文においては、「教会堂」という）がホテルの敷地内に建設されることがある。なお、本文において、「ホテル」とは、西洋風のホテルだけでなく、和風などの東洋風のホテル、和洋折衷のホテルなどの各種のホテル（すなわち、旅行者などの宿泊所）を含んでいる。
【０００３】
このような教会堂付きのホテルにおいてキリスト教会などでの結婚式を挙げるときには、ホテルの主要な建物から出た新婦予定者は、父親、媒酌人またはこれらに代る介添人に腕を取られて介添えされた状態で、屋外の通路を通って教会堂の出入口まで歩き、さらに、この出入口から教会堂内の結婚式場へと入場して行くのが普通である。このような場合、プロまたはアマチュアのカメラマンは、新婦予定者と介添人とが上記屋外通路を進んでいく情景を必要に応じてビデオ撮影するようにしている。そして、このビデオ撮影に際しては、従来、カメラマンは、ビデオカメラを肩に担いだり手に持ったりした状態で、新婦予定者および介添人を先導するように後ろ向きに歩きながらビデオ撮影するようにしていた。また、結婚式が終わったときには、カメラマンは、教会堂の出入口から退場する新郎および新婦ならびに他の参列者が上記屋外通路を上述の入場の場合とは逆方向に進んでいく情景を上述の入場の場合と同様に先導しながらビデオ撮影していた。
【０００４】
【発明が解決しようとする課題】
しかし、上述のような従来のビデオ撮影の場合、カメラマンは、ビデオカメラを肩に担いだり手に持ったりした状態で、後ろ向きに歩きながらビデオ撮影する必要があるので、ビデオカメラの高さ、前後および左右の各方向における位置の制約が大きく、このために、カメラアングルやカメラから被写体までの遠近についての自由度が低く、この結果、上記ビデオ撮影によって得られるビデオ画像が見栄えしないようになり易かった。また、ビデオカメラの位置がぶれ易いので、上記ビデオ撮影によって得られるビデオ画像がカメラぶれし易かった。
【０００５】
また、カメラマンは、ビデオカメラを肩に担いだり手に持ったりした状態で、被写体となる人達を先導するように後ろ向きに歩きながらビデオ撮影しなければならないので、ビデオ撮影時におけるカメラマンの肉体的および精神的な負担が大きく、また、被写体となる人達にとってカメラマンが目障りになり易かった。
【０００７】
【課題を解決するための手段】
本発明は、１つの観点によれば、キリスト教などの教会堂をその敷地内に備えているホテルにおいて、上記教会堂の出入口に向う専用の屋外通路の幅方向における側縁部分またはその付近にそのほぼ長さ方向に沿って配設されている長手状の軌道機構と、上記軌道機構にガイドされて上記専用の屋外通路のほぼ長さ方向に沿って移動することができかつビデオカメラが支持されるカメラ移動用可動機構とを備え、上記カメラ移動用可動機構が、上記軌道機構にガイドされて移動し得る台車と、この台車上に支持されかつビデオカメラが支持されるブームとを備え、上記ブームが、ほぼ垂直方向にもほぼ水平方向にも移動し得るように構成され、上記軌道機構よりも上記専用の屋外通路の幅方向における中央寄りの側において上記軌道機構に沿って延びている長手状の遮蔽物としての植込みをさらに備えている。そして、この１つの観点においては、上記軌道機構が、上記専用の屋外通路の側縁部分またはその付近において表面を露出させて埋め込まれている多数の下側枕木を備えているのが好ましい。
【０００９】
さらに、本発明は、別の観点によれば、結婚式の式場となるキリスト教などの教会堂の出入口に向う専用の屋外通路付近の幅方向における側縁部分またはその付近にそのほぼ長さ方向に沿って長手状の軌道機構を配設し、上記軌道機構にガイドされて移動し得る台車と、ほぼ垂直方向にもほぼ水平方向にも移動し得るようにこの台車上に支持されかつビデオカメラが支持されるブームとを備えているカメラ移動用可動機構を、上記軌道機構にガイドされて上記専用の屋外通路のほぼ長さ方向に沿って移動し得るように配設するとともに、上記上記軌道機構よりも上記専用の屋外通路の幅方向における中央寄りの側において上記軌道機構に沿って延びている長手状の遮蔽物としての植込みを配設し、上記カメラ移動用可動機構を上記軌道機構にガイドさせて上記専用の屋外通路のほぼ長さ方向に沿って移動させながら、上記専用の屋外通路を通る通行人（新婦予定者と介添人との組、新郎と新婦との組など）を上記ビデオカメラでビデオ撮影するようにした、ホテルでの結婚式の模様のビデオ撮影方法に係るものである。そして、この別の観点においては、上記専用の屋外通路またはこの屋外通路の外側において表面を露出させて埋め込まれている多数の下側枕木を、上記軌道機構に備えさせるようにするのが好ましい。
【００１０】
【発明の実施の形態】
つぎに、本発明を教会堂付きの西洋風ホテルに適用した一実施例を図面を参照して説明する。
【００１１】
教会堂付きの西洋風ホテル１の敷地内には、図１に示すように、旅行者などを宿泊させる宿泊施設や宴会場などを備えたホテル本来の主要な建物２が建設されている。また、このホテル１の敷地内には、本来、キリスト教徒の礼拝やキリスト教の宗教的会合を行うためのキリスト教の教会堂３も建設されている。そして、主要な建物２と教会堂３との間には、主要な建物２から教会堂３やホテル１の他の場所（例えば、ホテル正門）に行くときに通る共通の屋外通路４と、この共通の屋外通路４と教会堂３の出入口５とを結んでいる専用の屋外通路６とが設けられている。なお、この屋外の通路６は、教会堂３の出入口５から前方にほぼまっすぐ延びているのが好ましい。
【００１２】
教会堂３の出入口５には、図２および図３に示すように、左右一対などの扉７ａ、７ｂが設けられている。なお、これらの扉７ａ、７ｂのそれぞれには、把手８ａ、８ｂが取付けられていて、これらの扉７ａ、７ｂを例えば外側に向って観音開きすることができる。また、教会堂３は、専用の屋外通路６よりも高くなっている盛り土９上に建設されていてよい。このために、専用の屋外通路６から教会堂３の出入口５に向うための屋外の階段１０が盛り土９の傾斜面に沿って設けられている。そして、屋外の階段１０と出入口５との間には、ポーチ部分１１が配設されている。
【００１３】
出入口５を通って結婚式場となる教会堂３内に入ると、図１に示すように、この出入口に通じるバージンロード１５があり、このバージンロード１５の左右両側には、親族、来賓などの参列者のための左右一対の椅子席群１６ａ、１６ｂがある。そして、バージンロード１５のさらに向うには、その前の広場１８を介して聖壇１７が設けられている。なお、図１〜図３において、符号１９は、教会堂３の屋根である。
【００１４】
専用の屋外通路６の、教会堂３に向って左側または右側の側縁部分（図示の実施例の場合には、右側の側縁部分）には、図２および図３に示すように、移動式ビデオ撮影機構１２が屋外の通路６の長さ方向に沿って配設されている。また、屋外の通路６の幅方向における左右両側には、屋外通路６の長さ方向に沿って延びる左右一対の植込み（すなわち、生垣）１４ａ、１４ｂがそれぞれ設けられている。そして、これらの植込み１４ａ、１４ｂの一方（図示の実施例の場合には、右側の植込み１４ｂ）は、移動式ビデオ撮影機構１２よりも中央寄りの側（すなわち、屋外の通路６の幅方向における中心を通る線１３寄りの側）において、この移動式ビデオ撮影機構１２に沿って延びている。なお、移動式ビデオ撮影機構１２（さらに必要な場合には、植込み１４ａ、１４ｂ）は、屋外の通路６の幅方向における外側（すなわち、教会堂３に向って屋外の通路６よりもさらに左側またはさらに右側）に設けられていてもよい。
【００１５】
移動式ビデオ撮影機構１２は、図４に示すように、専用の屋外通路６にそのほぼ長さ方向に沿って固定させた状態で配設した長手状の軌道機構２１と、この軌道機構２１にガイドされて屋外の通路６のほぼ長さ方向に沿って移動することができるカメラ移動用の可動機構２２とから構成されている。そして、軌道機構２１は、屋外の通路６（または屋外の通路６の外側）において屋外の通路６とほぼ面一になるように砂利の中などにそれらの表面を露出させて埋め込まれている多数の下側枕木２３を備えている。なお、これらの下側枕木２３は、互いに間隔なしにまたは多少の間隔を設けて順次隣接するように配置されている。また、下側枕木２３上には、上側枕木２４が間欠的に配置され、これらの上側枕木２４上には、断面円形などの左右一対のほぼ直線状のレール２５ａ、２５ｂが取付けられている。なお、下側枕木２３は例えば木製の中実体であってよく、また、上側枕木２４は例えば金属製の中空体であってよく、さらに、レール２５ａ、２５ｂは例えば金属製の中空パイプであってよい。
【００１６】
カメラ移動用の可動機構２２は、図４、図５および図６に示すように、台車２６、ブーム支持機構２７およびブーム機構（すなわち、カメラ支持杆機構）２８を備えている。そして、台車２６は、ほぼ長方形の中空板状体であってよい金属製などの台枠本体２９を備えている。また、この台枠本体２９の左右両側面には、ほぼ山形の角筒状体であってよい金属製などの左右一対の補助台枠３０ａ、３０ｂが取付けられている。さらに、これらの補助台枠３０ａ、３０ｂの前後両端には、中央部分が下方に陥没した形状の角筒状体であってよい金属製などの前後一対の車輪支持杆３１ａ、３１ｂが取付けられている。
【００１７】
車輪支持杆３１ａ、３１ｂの左右両端には、左右一対の車輪取付け用ブロック３２ａ、３２ｂがそれぞれ取付けられている。そして、これらの車輪取付け用ブロック３２ａ、３２ｂの外側面には、比較的大きな直径を有しかつゴムタイヤ付きの路面走行用車輪３３が回転可能に取付けられている。また、車輪取付け用ブロック３２ａ、３２ｂの内側面には、比較的小さな直径を有しかつ金属などの硬質材料から成る前後一対のレール走行用車輪３４ａ、３４ｂが回転可能に取付けられている。そして、これらのレール走行用車輪３４ａ、３４ｂの外周面には、図６に明示するように、レール２５ａ、２５ｂに嵌合するための凹溝３５がそれぞれ形成されている。したがって、カメラ移動用可動機構２２が軌道機構２１のレール２５ａ、２５ｂ上を走行するときには、レール走行用車輪３４ａ、３４ｂはレール２５ａ、２５ｂ上を転動する。また、レール走行用車輪３４ａ、３４ｂをレール２５ａ、２５ｂから取り外してカメラ移動用可動機構２２を収納場所などの別の場所に移動させるときには、路面走行用車輪３３が路面上を転動する。なお、軌道機構２１の前後両端部には、必要に応じて車止め（図示せず）を設けることができる。
【００１８】
ブーム支持機構２７は、図５に示すように、台枠本体２９上に立設された金属製などのブーム支持脚４１と、補助台枠３０ａ、３０ｂとブーム支持脚４１とを互いに連結している金属製などの複数本（図示の実施例の場合には、４本）の支柱４２とを備えている。また、ブーム支持脚４１の上面には、金属製などのほぼＵ字形状の取付け具４３がほぼ垂直方向に延びる軸心４４の回りに回転可能に取付けられている。そして、この取付け具４３には、ブーム機構２８のブーム（すなわち、カメラ支持杆）４６がほぼ水平方向に延びる軸心４５の回りに回転可能に取付けられている。
【００１９】
ブーム機構２８は、図４および図５に示すように、軸心４５を回転中心としてほぼ上下方向に揺動するブーム４６と、このブーム４６の基端部付近に設けられた操作機構４７と、上記ブーム４６の先端部付近に設けられたカメラ支持機構４８と、カメラ支持機構４８および操作機構４７にその上端および下端をそれぞれ回動可能に取付けられてブーム４６に対してほぼ平行に延びるリンク４９とを備えている。そして、ブーム４６、リンク４９、操作機構４７およびカメラ支持機構４８によって平行リンク機構が構成されているので、操作機構４７およびカメラ支持機構４８（すなわち、後述のカメラ支持部材５２）は、ブーム４６の上下方向における揺動角度を変更しても、常にほぼ同じ方向を向くようになっている。
【００２０】
カメラ支持機構４８は、図４に示すように、ビデオカメラ５０が着脱可能に取付けられるカメラ取付け用ブロック５１を備えている。そして、このカメラ取付け用ブロック５１は、ブーム４６の先端部に回動可能に取付けられたカメラ支持部材５２を介してブーム４６に取付けられている。また、カメラ取付け用ブロック５１は、水平方向回動機構（図示せず）によってほぼ垂直方向に延びる軸心５３の回りを回動され得るように、また、上下方向回動機構５４によってほぼ水平方向に延びる軸心５５の回りを回動され得るように、カメラ支持部材５２に取付けられている。したがって、ビデオカメラ５０は、そのほぼ全周囲にわたって首振り可能になるように、ブーム４６に取付けられている。
【００２１】
操作機構４７は、図５に示すように、ブーム４６の基端部に回動可能に取付けられかつほぼＵ字状であってよいハンドル取付け板６１と、このハンドル取付け板６１の後端部付近に取付けられた操作用ハンドル６２と、ハンドル取付け板６１の側面（図示の実施例の場合には、右側の側面）に取付けられたビデオモニタ６３とを備えている。また、操作用ハンドル６２またはその周囲には、ビデオカメラ５０を操作するための各種の操作ボタンまたはレバー（ビデオ撮影開始および終了ボタン、ピント合せボタン、ズームインおよびズームアウト用ボタンなど）や、カメラ支持機構４８の水平方向回動機構および上下方向回動機構５４の駆動モータを駆動および停止させるための操作ボタンまたはレバーがそれぞれ設けられている。
【００２２】
図２および図３に示すように、上述のように構成された移動式ビデオ撮影機構１２よりも中央寄りの側においてこの移動式ビデオ撮影機構１２に沿って植込み１４ｂが延びている。このために、屋外の通路６の幅方向における中央付近（すなわち、中心線１３の付近）を通る人には、移動式ビデオ撮影機構１２の下方部分（すなわち、軌道機構２１、台車２６およびブーム支持機構２７）の全部または一部分をこの植込み１４ｂの存在のために完全にまたは或る程度見ることができない。したがって、植込み１４ｂは、通行人にとって目障りな移動式ビデオ撮影機構１２の下方部分を通行人に対して少なくとも或る程度隠すことができる視覚上の遮蔽壁または長手状の遮蔽物として機能する。
【００２３】
左右一対の植込み１４ａ、１４ｂのそれぞれは、図示の実施例の場合には長さが約１０ｍ、高さが約５０ｃｍおよび幅が約４０ｃｍであるが、実用性の観点から見て一般的に、長さが３〜３０ｍの範囲、高さが２０〜１５０ｃｍの範囲および幅が１５〜１２０ｃｍの範囲であるのが好ましく、長さが５〜２０ｍの範囲、高さが３５〜１００ｃｍの範囲および幅が３０〜８０ｃｍの範囲であるのがさらに好ましい。また、植込み１４ａ、１４ｂは、屋外通路６の幅方向における左右両側付近の美観のために左右対称的になるように左右一対設けるのが好ましいが、必要に応じて移動式ビデオ撮影機構１２が設けられている側のみに設けてもよい。
【００２４】
左右一対の植込み１４ａ、１４ｂに代えて、板塀などの左右一対の別の塀を長手状の遮蔽物として設けることもできる。そして、この場合には、これらの塀のそれぞれの長さおよび高さについての好ましい範囲およびさらに好ましい範囲は、上述の植込み１４ａ、１４ｂの場合と同一であってよい。また、これらの塀のそれぞれの幅は、０．５〜１０ｃｍの範囲であるのが好ましく、１〜５ｃｍの範囲であるのがさらに好ましい。さらに、左右一対の植込み１４ａ、１４ｂと板塀などの左右一対の別の塀とを互いにほぼ一体になるように互いに組み合わせて設けるようにしてもよい。そして、この場合には、これらの左側または右側の植込み１４ａと左側または右側の別の塀とを組み合わせた長手状遮蔽物のそれぞれの長さ、高さおよび幅についての好ましい範囲およびさらに好ましい範囲は、上述の植込み１４ａ、１４ｂの場合と同一であってよい。
【００２５】
移動式ビデオ撮影機構１２のレール２５ａ、２５ｂのそれぞれの長さは、図示の実施例の場合には約８ｍであるが、実用性の観点から見て一般的に、２〜２０ｍの範囲であるのが好ましく、４〜１５ｍの範囲であるのがさらに好ましい。また、左右一対のレール２５ａ、２５ｂの軸心の間隔（換言すれば、左側のレール走行用車輪３４ａ、３４ｂと右側のレール走行用車輪３４ａ、３４ｂとの間隔）は、図示の実施例の場合には約８０ｃｍであるが、実用性の観点から見て一般的に、４０〜１６０ｃｍの範囲であるのが好ましく、６０〜１２０ｃｍの範囲であるのがさらに好ましい。また、ブーム４６の長さは、図示の実施例の場合には約６ｍであるが、実用性の観点から見て一般的に、１．５〜１６ｍの範囲であるのが好ましく、３〜１２ｍの範囲であるのがさらに好ましい。また、ブーム４６のほぼ水平方向に延びる回動中心（軸心）４５の高さ（車輪３４ａ、３４ｂの下端からの高さ）は、図示の実施例の場合には約１４０ｃｍであるが、実用性の観点から見て一般的に、１００〜１８０ｃｍの範囲であるのが好ましく、１２０〜１６０ｃｍの範囲であるのがさらに好ましい。また、軸心４５から基端までのブーム４６の長さは、図示の実施例の場合には約１ｍであるが、実用性の観点から見て一般的に、０．３〜２ｍの範囲であるのが好ましく、０．５〜１．６ｍの範囲であるのがさらに好ましい。さらに、軸心４５から先端までの長さは、図示の実施例の場合には約５ｍであるが、実用性の観点から見て一般的に、１．２〜１４ｍの範囲であるのが好ましく、２．５〜１０ｍの範囲であるのがさらに好ましい。
【００２６】
教会堂３でキリスト教の結婚式が挙げられるときに、以上のように構成された移動式ビデオ撮影機構１２を用いてカメラマンが屋外の通路６を通る通行人（例えば、新婦予定者６４と介添人６５との組、新郎と新婦との組など）をビデオ撮影する場合には、つぎに述べるようにすればよい。
【００２７】
すなわち、路面上または枕木２３、２４上に立っているカメラマンは、操作用ハンドル６２の左右両端部を左右の手で握った状態でこの操作用ハンドル６２を押したり引いたりすることによって、台車２６をレール２５ａ、２５ｂ上の所望の位置に移動させることができる。また、カメラマンは、操作用ハンドル６２の左右両端部を左右の手で握った状態で操作用ハンドル６２を上下方向に上げ下げしたり左右方向に揺動させたりしてブーム４６を垂直方向の軸心４４および水平方向の軸心４５の回りにそれぞれ回動させることによって、カメラ支持機構４８をブーム４６の長さの範囲内で任意の位置に移動させることができる。
【００２８】
さらに、カメラマンは、操作用ハンドル６２またはその周囲に設けられている各種の操作ボタンをビデオモニタ６３に映し出されるモニタ画像を見ながら操作することによって、必要に応じてビデオカメラ５０の上下方向および水平方向の向きを好ましい状態に調整してからビデオ撮影することができる。このために、カメラマンは、比較的広い屋外通路６のほぼ全体にわたって好ましいカメラアングルでかつカメラ５０から被写体までの好ましい遠近でもって被写体をビデオ撮影することができる。また、この場合、通行人の歩く速度にほぼ合わせて操作用ハンドル６２を押したり引いたりすることによって台車２６をほぼ同方向にかつほぼ同速度で移動させると、被写体に対する好ましいカメラアングルおよび好ましい遠近でもって被写体を連続的にビデオ撮影することができる。
【００２９】
以上において、本発明の一実施例につき詳細に説明したが、本発明は、この実施例に限定されるものではなく、特許請求の範囲に記載された発明の趣旨に基づいて各種の変更および修正が可能である。
【００３０】
例えば、上述の実施例においては、教会堂付きの西洋風ホテルに本発明を適用したが、西洋風以外の他の教会堂付きホテルに適用してもよく、また、キリスト教の教会堂ではなくて他の宗教の教会堂を付属させたホテルに適用してもよい。
【００３１】
また、上述の実施例においては、カメラマンの人力によって台車２６にレール２５ａ、２５ｂ上を移動させるようにしたが、台車２６を駆動させるための駆動源（例えば、台車駆動用モータ）を台車２６などに取付けて、カメラマンが操作用ハンドル６２またはその周囲に設けた（台車駆動用モータのための）駆動および停止スイッチを操作することによって、台車２６にレール２５ａ、２５ｂ上を移動させるようにしてもよい。
【００３２】
また、上述の実施例においては、カメラマンの人力によってブーム４６を垂直方向の軸心４４および水平方向の軸心４５の回りにそれぞれ回動させるようにしたが、カメラ取付けブロック５１の場合と同様に、ブーム用垂直方向回動機構およびブーム用水平方向回動機構を設けてカメラマンが操作用ハンドル６２またはその周囲に設けた（ブーム垂直駆動用モータおよびブーム水平駆動用モータのための）駆動および停止スイッチを操作することによって、ブーム４６を垂直方向の軸心４４および水平方向の軸心４５の回りにそれぞれ回動させるようにしてもよい。
【００３３】
また、上述の実施例においては、レール２５ａ、２５ｂをほぼ直線状に構成したが、必ずしもほぼ直線状である必要はなく、例えば、屋外の通路６が屈曲している場合にこの屈曲に合わせて湾曲した形状に構成してもよい。
【００３４】
また、上述の実施例においては、軌道機構２１のレールを２本にしたが、１本または３本以上であってもよい。
【００３５】
さらに、上述の実施例においては、軌道機構２１がほぼ路面上に設置されたレール２５ａ、２５ｂを備えているが、カメラ移動用可動機構２２がほぼ所定の軌道を移動し得る限り、レール２５ａ、２５ｂに代えて別のガイド部材または別のガイド手段を備えていてもよい。
【００３６】
【発明の効果】
本発明によれば、西洋風などのホテルに付属したキリスト教などの教会堂での結婚式の模様（特に、教会堂の外部から専用の屋外通路を通って教会堂の出入口に向う新婦予定者と介添人との組や、教会堂の出入口から出てきて専用の屋外通路を通る新郎と新婦との組の歩く様子）を、好ましいカメラ位置から好ましいカメラアングルでかつ被写体の歩く速度にほぼ合わせつつビデオカメラを長手状軌道機構にガイドさせて上記専用の屋外通路のほぼ長さ方向に沿って移動させながら、カメラぶれの恐れなしにかつ容易にビデオ撮影することができ、さらに、カメラマン（および場合によってはビデオカメラ）が被写体となる通行人の目障りになり難い。
【００３７】
また、本発明によれば、専用の屋外通路の通行人には、軌道機構とカメラ移動用可動機構の少なくとも下部とが全くまたは或る程度目に入らないので、これらの軌道機構およびカメラ移動用可動機構が専用の屋外通路の通行人の目障りになるのを低減させることができる。
【００３８】
また、本発明によれば、被写体（特に、教会堂の外部から専用の屋外通路を通って教会堂の出入口に向う新婦予定者と介添人との組や、教会堂の出入口から出てきて専用の屋外通路を通る新郎と新婦との組の歩く様子）を、好ましい位置から好ましいカメラアングルでかつ被写体の歩く速度にほぼ合わせてビデオカメラを移動させながら、カメラぶれの恐れなしにかつ容易にビデオ撮影するのがさらに簡単である。
【図面の簡単な説明】
【図１】本発明を適用した教会堂付きの西洋風ホテルの一部分の概略的な部分横断平面図である。
【図２】図１に示す教会堂の斜視図である。
【図３】図２に示す教会堂の出入口付近の平面図である。
【図４】図３に示す移動式ビデオ撮影機構の斜視図である。
【図５】図４に示すカメラ移動用可動機構の部分的に切欠した状態での拡大斜視図である。
【図６】図５に示す台車の前側車輪付近の平面図である。
【符号の説明】
１        教会堂付きの西洋風ホテル
３        キリスト教の教会堂
５        教会堂の出入口
６        専用の屋外通路
１２      移動式ビデオ撮影機構
１４ａ    植込み（長手状の遮蔽物）
１４ｂ    植込み（長手状の遮蔽物）
２１      長手状の軌道機構
２２      カメラ移動用可動機構
２６      台車
４６      ブーム
５０      ビデオカメラ
【図１】
0004355125.tif 000002
【図２】
0004355125.tif 000003
【図３】
0004355125.tif 000004
【図４】
0004355125.tif 000005
【図５】
0004355125.tif 000006
【図６】
0004355125.tif 000007